(57)【要約】【課題】乗物にディスプレイ装置１２を取り付けるためのアセンブリ１０を提供する。【解決手段】該アセンブリは、対向する端部、該端部の間に延在する前面、および前面と反対側の裏面を有する取付け板１６を含む。取付け板は、該取付け板の前面を外側に向けた状態で乗物に取り付け可能である。アセンブリは、取付け板の一方の端部に隣接して配置された第１のロック機構と、他方の端部に隣接して配置された第２のロック機構とを含む。各ロック機構２８は、取付け板の前面の上に延在する顎部であって、閉位置と開位置との間で回転可能な顎部を含む。各顎部は、該顎部に接続された弾性変形可能な付勢部材であって、閉位置に向かって顎部を付勢する付勢部材を含む。アセンブリは、取付け板に装着された電気コネクタ４６を含む。電気コネクタは、別のコネクタと嵌合するための開口部を有する。【選択図】図１
2014136575.tif 000002
【特許請求の範囲】
【請求項１】
乗物にディスプレイ装置を取り付けるためのアセンブリであって、前記ディスプレイ装置は裏面を有し、該アセンブリは、
対向する端部、該端部の間に延在する前面、および該前面と反対側の裏面を含む取付け板であって、前記前面を外側に向けた状態で前記乗物に取り付け可能である前記取付け板と、
前記取付け板の一方の端部に隣接して配置された第１のロック機構、および前記取付け板の他方の端部に隣接して配置された第２のロック機構であって、各ロック機構が、
前記取付け板の前記前面の上に延在する顎部であって、閉位置と開位置との間で回転可能な前記顎部と、
前記顎部に接続された弾性変形可能な付勢部材であって、前記閉位置に向かって前記顎部を付勢する前記付勢部材と
を含む、前記第１のロック機構および第２のロック機構と、
別のコネクタと嵌合するための開口部を有する電気コネクタであって、該電気コネクタの前記開口部を露出させた状態で前記取付け板に装着された前記電気コネクタと、
前記ディスプレイ装置の前記裏面に配置されたブラケット構造であって、前記ディスプレイ装置の前記裏面が前記取付け板の前記前面に押し当てられたときに前記顎部の一方と係合可能な第１の端部、および前記顎部の他方と係合可能な第２の端部を含む前記ブラケット構造と、
前記ディスプレイ装置に配置された前記別のコネクタであって、前記顎部が前記ブラケット構造の前記端部と係合するときに、前記別のコネクタが前記電気コネクタと嵌合する位置に配置されている、前記別のコネクタと
を備えるアセンブリ。
【請求項２】
少なくとも１つのガイド構造をさらに備え、該ガイド構造は、前記取付け板および前記ディスプレイ装置のうちの一方から延出するピンと、前記取付け板および前記ディスプレイ装置のうちの他方に配置された凹部とを含み、前記別のコネクタが前記電気コネクタと嵌合するときに、前記凹部はその中に前記ガイドピンを受容する、請求項１に記載のアセンブリ。
【請求項３】
前記ブラケット構造は、一対のブラケット板を含み、一方のブラケット板が前記ブラケット構造の前記第１の端部を構成し、他方のブラケット板が前記ブラケット構造の前記第２の端部を構成する、請求項１に記載のアセンブリ。
【請求項４】
前記ロック機構は、各顎部から突き出すリリースタブを含み、該リリースタブが前記顎部の付勢方向と反対方向に押されると、前記顎部は開位置に向かって回転する、請求項１に記載のアセンブリ。
【請求項５】
前記取付け板は、前記顎部が前記ブラケット構造と係合しているときに、前記リリースタブの前に上向きに突き出すブロッキングタブを含む、請求項４に記載のアセンブリ。
【請求項６】
前記リリースタブを押すために、前記顎部が前記ブラケット構造と係合しているときに前記ブロッキングタブと前記リリースタブとの間に挿入可能な屈曲部材を含む解除工具をさらに備える、請求項５に記載のアセンブリ。
【請求項７】
各ロック機構は、前記取付け板の前記裏面に装着されたヒンジを含み、前記顎部は、閉位置と開位置との間での前記顎部の回転運動を提供するために前記ヒンジを介して回転可能に取り付けられている、請求項１に記載のアセンブリ。
【請求項８】
乗物にディスプレイ装置を取り外し可能に取り付けるための方法であって、前記ディスプレイ装置は裏面を含み、該方法は、
対向する端部、該端部の間に延在する前面、および該前面と反対側の裏面を含む取付け板を設けること、
第１のロック機構と第２のロック機構とを互いに対向させて前記取付け板に装着することであって、各ロック機構は、前記取付け板の前記前面の上に延在する顎部であって、閉位置と開位置との間で回転可能であり、付勢されることで弾性的に前記閉位置に維持される前記顎部を含む、前記装着すること、
別のコネクタと嵌合するための開口部と、電源に接続するための配線とを有する電気コネクタを、該電気コネクタの前記開口部を前記取付け板の前記前面から露出させた状態で前記取付け板に設けること、
前記電気コネクタの前記配線が前記乗物の電源に接続された状態で、前記取付け板を前記乗物に固定すること、
前記ディスプレイ装置の前記裏面にブラケット構造を設けることであって、該ブラケット構造は、一対の端部を含み、一方の端部は、前記ロック機構の一方の前記顎部と係合可能であり、他方の端部は、前記ロック機構の他方の前記顎部と係合可能である、前記ブラケット構造を設けること、
各顎部が前記ブラケット構造のそれぞれの端部と係合するまで、前記一方の端部を前記ロック機構の一方の前記顎部に押し当て、前記他方の端部を前記ロック機構の他方の前記顎部に押し当てることによって、前記ディスプレイ装置を前記乗物に取り付けること、
前記別のコネクタを前記ディスプレイ装置に設け、前記ディスプレイ装置を取り付ける間に、前記別のコネクタを前記電気コネクタと嵌合させること
を含む方法。
【請求項９】
前記ディスプレイ装置に設けることは、前記別のコネクタが前記電気コネクタの前記開口部に受容されて嵌合するように、各顎部が前記ブラケット構造のそれぞれの端部と係合するときに、前記電気コネクタの前記開口部と対向する位置において、前記別のコネクタを前記ディスプレイ装置に固定することを含む、請求項８に記載の方法。
【請求項１０】
前記顎部の各々にリリースタブを設けることをさらに含み、該リリースタブは、該リリースタブが押される際に、前記ブラケット構造のそれぞれの端部との係合から前記顎部を解放するためのものである、請求項８に記載の方法。
【請求項１１】
各顎部が前記ブラケット構造のそれぞれの端部に係合しているときに、前記リリースタブと前記ディスプレイ装置との間に延在するブロッキングタブを、前記取付け板に設けることをさらに含む、請求項１０に記載の方法。
【請求項１２】
前記取付け板および前記ディスプレイ装置のうち一方にガイドピンを設けること、前記取付け板および前記ディスプレイ装置のうち他方に凹部を設けることをさらに含み、各顎部が前記ブラケット構造のそれぞれの端部に係合するときに、前記ガイドピンは、前記凹部に受容される、請求項８に記載の方法。
【請求項１３】
Ｌ字形部材を含む解除工具を設けること、
前記ブラケット構造のそれぞれの端部との係合から顎部を解放して、取り付けられた後の前記ディスプレイ装置を取り外すために、前記Ｌ字形部材を、前記ブロッキングタブと前記リリースタブとの間に挿入することをさらに含む、請求項８に記載の方法。
【請求項１４】
前記ブラケット構造を設けることは、一対のブラケット板を前記ディスプレイ装置に固定することを含む、請求項８に記載の方法。
【請求項１５】
乗物にディスプレイ装置を取り付けるためのアセンブリであって、前記ディスプレイ装置は裏面を有し、該アセンブリは、
前面、および該前面と反対側の裏面を含む取付け板であって、前記前面を外側に向けた状態で前記乗物に取り付け可能である前記取付け板と、
前記取付け板に支持されたロック機構であって、
ラッチ位置とラッチ解除位置との間で可動である顎部であって、付勢されることで前記ラッチ位置に維持される前記顎部と、
該ロック機構から突き出すリリースタブであって、該リリースタブが押されると、前記顎部を前記ラッチ解除位置に移動させる前記リリースタブと
を含む前記ロック機構と、
別のコネクタと嵌合するための開口部を有する電気コネクタであって、該コネクタの前記開口部を露出させた状態で前記取付け板に装着された前記電気コネクタと、
前記ディスプレイ装置の前記裏面に配置されたブラケット構造であって、該ブラケット構造は、前記ディスプレイ装置の前記裏面を前記取付け板の前記前面に押し当てることによって、前記ディスプレイ装置の前記裏面が係合位置に配置されたときに、前記顎部と係合する端部を含み、該ブラケット構造の端部が前記顎部を押して、前記顎部を前記ラッチ解除位置に移動させ、前記ディスプレイ装置が前記係合位置に達すると、前記顎部が、その付勢により前記ラッチ位置に戻って、該ブラケット構造の端部に係合する、前記ブラケット構造と、
前記ディスプレイ装置に配置された前記別のコネクタであって、前記ディスプレイ装置が前記係合位置に動かされたときに、前記別のコネクタが前記電気コネクタと嵌合する位置に配置されている、前記別のコネクタと、
前記顎部が前記ブラケット構造の端部と係合しているときに、前記リリースタブの前に前記取付け板から突き出すブロッキングタブと
を備えるアセンブリ。
【請求項１６】
屈曲部を有する部材を含む解除工具をさらに備え、該部材は、前記リリースタブを押すために、前記顎部が前記ブラケット構造の端部と係合しているときに前記ブロッキングタブと前記リリースタブとの間に挿入可能である、請求項１５に記載のアセンブリ。
【請求項１７】
前記ブラケット構造は、別の端部を含み、前記アセンブリは、前記取付け板に支持された別のロック機構をさらに備え、該ロック機構は、ラッチ位置とラッチ解除位置との間で可動である顎部であって、付勢により前記ラッチ位置に維持される前記顎部を含み、前記ディスプレイ装置が前記係合位置にあるときに、一方のロック機構の前記顎部が前記ブラケット構造の一方の端部に係合し、他方のロック機構の前記顎部が前記ブラケット構造の他方の端部に係合する、請求項１５に記載のアセンブリ。
【請求項１８】
前記別のロック機構は、該別のロック機構から突き出すリリースタブを含み、該リリースタブが押されると、該別のロック機構の前記顎部は前記ラッチ解除位置に移動する、請求項１７に記載のアセンブリ。
【請求項１９】
前記顎部は、前記ディスプレイ装置を前記係合位置に動かすときに前記顎部の前記ラッチ解除位置への動きを促すため、前記ブラケット構造の端部が押し当てられる傾斜面を含む、請求項１５に記載のアセンブリ。
【請求項２０】
少なくとも１つのガイド構造をさらに備え、該ガイド構造は、前記取付け板および前記ディスプレイ装置のうちの一方から延出するピンと、前記取付け板および前記ディスプレイ装置のうちの他方に配置された凹部とを含み、前記別のコネクタが前記電気コネクタと嵌合するときに、前記凹部はその中に前記ガイドピンを受容する、請求項１５に記載のアセンブリ。
【発明の詳細な説明】
【技術分野】
【０００１】
本発明は、広くは、乗物（ｖｅｈｉｃｌｅ）の客室内でユーザに対してビデオ、音声、テキスト、画像などのデジタル情報を再生するためのディスプレイ装置用の取付けアセンブリに関し、特に、取り外し可能な取り付け方法を可能にする取付けアセンブリを備えるディスプレイ装置に関するものである。
【背景技術】
【０００２】
商業旅客機では、一般に、旅客設備に使える空間を有効利用するため、座席を配列している。本来の目標は、乗物の経済的使用のため、航空機が１フライトあたり運ぶことができる乗客数を最大にすることである。一般に、商業旅客輸送は、効率的運営が要求される競争の激しいビジネスである。
【０００３】
多くの場合、商業旅客機は、乗客が暇をつぶすための機内エンタテイメントシステムを、その航空機に装備している。機内エンタテイメントシステムは、より長距離の飛行経路に使用される航空機において、特によく見られる。機内エンタテイメントシステムは、多くの場合、乗客席の背面に取り付けられたディスプレイ装置またはモニタを備える。ディスプレイ装置に対面して座席に着座した乗客は、航空機に装備された機内エンタテイメントシステムに応じた、ビデオ、音声、テキスト、画像などのデジタル情報を、ディスプレイ装置を用いて再生することができる。
【０００４】
従来、ディスプレイ装置は、そのディスプレイ装置を装着するためにシートを部分的に解体する必要のあるものが使用されている。より具体的には、ディスプレイ装置は、内部シート構造上の取付け点への装着と、シート内の電気ハーネスへの接続とを必要とするものであった。ディスプレイ装置は、装着後は、装置の表示部が乗客に見えるようにシートバックから露出した状態で、内部シート構造によって支持される。少なくとも１つの従来技術の構成は、モニタを取り付けるために、シートの背もたれの前面からディスプレイ装置を挿入することが必要なものである。
【０００５】
上記の従来の構成の利点は、ディスプレイ装置が極めて堅固に内部シート構造に取り付けられることである。旅客機のシートは、急減速の発生時に様々な重力に耐えるように設計されており、その内部シート支持構造にディスプレイ装置が装着される。急減速が生じた場合でも、ディスプレイ装置は、確実に保持されて、通常、急減速の発生時にシートバックから外れることはない。さらに、乗客が容易にディスプレイ装置を取り外すことができないものとして、不正に手を加えられることを防いでいる。
【０００６】
上記構成は、ディスプレイの堅固な装着を可能にするものの、欠点がある。主な欠点は、このようにディスプレイ装置を取り付けることは、多大な労力と時間を要することである。各シートを解体して、内部の取付け点にディスプレイ装置を固定し、ディスプレイ装置に電気ハーネスを接続することは、かなりの時間を必要とする。より大型の商業旅客機は、何百ものシートを備えるので、そのようなディスプレイ装置を最初に航空機に備え付けることは、非常に多くの時間を費やすことになり得る。また、装着した後に、欠陥のあるディスプレイ装置を修理または交換することは多大な労力と時間を要する。
【０００７】
前述のように、商業旅客輸送は、効率的運営が要求される競争の激しいビジネスである。ディスプレイ装置の取り付けに関わる時間とコストを削減することが望まれる。また、万一、ディスプレイ装置の修理または交換が必要な場合に、効率的運営では、航空機を可能な限り早く運航に戻すことができるように、修理または交換を可能な限り迅速に行うことが要求される。
【０００８】
さらに、従来の設計は空間効率が悪い。電気ハーネスからの１つ以上のコネクタをモニタに接続することを可能にするためのスペースが、モニタの後ろに必要とされる。特に、モニタへの確実な電気的接続を確保するためには、設置者が、設置する各モニタの後ろに手が届くための十分な空間がなければならない。
【発明の概要】
【発明が解決しようとする課題】
【０００９】
本発明は、ディスプレイ装置を堅固に保持するとともに、不正な取り外しを防止しながら、より迅速なディスプレイ装置の取り付けと取り外しを可能にする取付けアセンブリを提供することにより、従来のディスプレイ装置またはモニタ取付け構成の上述の欠点に対処するものである。
【課題を解決するための手段】
【００１０】
乗物に裏面を有するディスプレイ装置を取り付けるためのアセンブリを提供する。本発明による好ましい実施形態において、該アセンブリは、対向する端部と、それらの間に延在する前面と、前面と反対側の裏面とを有する取付け板を含む。取付け板は、該取付け板の前面を外側に向けた状態で乗物に取り付け可能である。
【００１１】
アセンブリは、さらに、取付け板の一方の端部に隣接して配置された第１のロック機構と、取付け板の他方の端部に隣接して配置された第２のロック機構とを含む。各ロック機構は、取付け板の前面の上に延在する顎部であって、閉位置と開位置との間で回転可能な顎部を有する。各顎部は、該顎部に接続された弾性変形可能な付勢部材であって、閉位置に向かって顎部を付勢する付勢部材を有する。
【００１２】
さらに、アセンブリは、取付け板に装着された電気コネクタを含む。電気コネクタは、別のコネクタと嵌合するための開口部を有する。電気コネクタは、該コネクタの開口部を露出させた状態で取付け板に装着されている。
【００１３】
取付けアセンブリは、ディスプレイ装置の裏面に配置されたブラケット構造を含む。ブラケット構造は、ディスプレイ装置の裏面が取付け板の前面に押し当てられたときに、一方の顎部と係合可能な第１の端部と、他方の顎部と係合可能な第２の端部とを有する。
【００１４】
アセンブリは、さらに、ディスプレイ装置に配置された上記別のコネクタを含み、この別のコネクタは、顎部がブラケット構造の端部と係合するときに、取付け板の電気コネクタと嵌合する位置に配置されている。好ましくは、アセンブリは、少なくとも１つのガイド構造を含む。ガイド構造は、取付け板およびディスプレイ装置のうちの一方から延出するピンと、取付け板およびディスプレイ装置のうちの他方に配置された凹部とで構成され、凹部は、上記別のコネクタが電気コネクタと嵌合するときに、その中にガイドピンを受容する。
【００１５】
別の態様において、乗物に裏面を有するディスプレイ装置を取り外し可能に取り付けるためのプロセスまたは方法を提供する。本発明による一実施形態において、該方法は、対向する端部と、それらの間に延在する前面と、前面と反対側の裏面とを有する取付け板を設けることを含む。
【００１６】
本方法は、さらに、第１と第２のロック機構を互いに対向させて取付け板に装着することを含む。各ロック機構は、取付け板の前面の上に延在する顎部であって、閉位置と開位置との間で回転可能であり、弾性的に付勢されることで閉位置に維持される顎部を有する。本方法は、さらに、別のコネクタと嵌合するための開口部と、電源に接続するための配線とを有する電気コネクタを、該コネクタの開口部を取付け板の前面から露出させた状態で取付け板に設けることを含む。本方法は、その後に、電気コネクタの配線が乗物内の電源に接続された状態で、取付け板を乗物に固定することを含む。
【００１７】
本方法は、さらに、ディスプレイ装置の裏面にブラケット構造を設けることを含み、ブラケット構造は、一対の端部を有するものであって、一方の端部は一方のロック機構の顎部と係合可能であり、他方の端部は他方のロック機構の顎部と係合可能である。本方法は、各顎部がブラケット構造のそれぞれの端部と係合するまで、上記一方の端部を一方のロック機構の顎部に押し当て、上記他方の端部を他方のロック機構の顎部に押し当てることによって、ディスプレイ装置を乗物に取り付けることを含む。本方法は、さらに、上記別のコネクタをディスプレイ装置に設けること、顎部がブラケット構造の端部と係合するときに、上記別のコネクタを電気コネクタと嵌合させることを含む。
【００１８】
より具体的には、上記別のコネクタをディスプレイ装置に設けることは、各顎部が前記ブラケット構造のそれぞれの端部と係合するときに、電気コネクタの開口部と対向する位置において、別のコネクタをディスプレイ装置に固定することを含む。従って、上記別のコネクタが電気コネクタの開口部に受容されると、これらのコネクタは互いに嵌合または電気的に接続して、これにより、コネクタ間で電力および／またはデータを通過させる。
【００１９】
本方法は、乗物に取り付けられた後のディスプレイ装置を取り外すことを可能にするものであり、すなわち、ディスプレイ装置は、取り外し可能に取り付けられる。本方法は、取り外しのために、顎部の各々にリリースタブを設けることを含み、該リリースタブは、リリースタブが押される際に、顎部をブラケット構造のそれぞれの端部との係合から解放するためのものである。ディスプレイ装置の不正な取り外しまたは切り離しを防ぐために、本方法は、各顎部がブラケット構造のそれぞれの端部に係合しているときにリリースタブとディスプレイ装置との間に延在するブロッキングタブを、取付け板に設けることを含む。ブロッキングタブがあるにもかかわらず、ディスプレイ装置を切り離しまたは取り外しするために、本方法は、Ｌ字形部材を有する解除工具を設けることを含む。本方法によれば、乗物に取り付けられた後のディスプレイ装置を取り外すため、Ｌ字形部材を、ブロッキングタブとリリースタブとの間に挿入して、顎部をブラケット構造のそれぞれの端部との係合から解放する。
【００２０】
本発明よる別の実施形態において、乗物に、裏面を有するディスプレイ装置を取り付けるためのアセンブリを開示する。取付け板は、前面と、前面と反対側の裏面とを有し、該取付け板を、その前面を外側に向けた状態で乗物に取り付け可能である。
【００２１】
アセンブリは、取付け板に支持されたロック機構を含む。ロック機構は、ラッチ位置とラッチ解除位置との間で可動である顎部を有し、顎部は付勢されることでラッチ位置に維持される。ロック機構は、さらに、ロック機構から突き出すリリースタブを有し、リリースタブは、リリースタブが押される際に、顎部をラッチ解除位置に移動させる。
【００２２】
アセンブリは、さらに、別のコネクタと嵌合するための開口部を有する電気コネクタを含む。電気コネクタは、該コネクタの開口部を露出させた状態で取付け板に装着されている。
【００２３】
アセンブリは、ディスプレイ装置の裏面に配置されたブラケット構造を含む。ブラケット構造は、ディスプレイ装置の裏面を取付け板の前面に押し当てることによって、ディスプレイ装置の裏面が係合位置に配置されたときに、顎部と係合する端部を有し、ブラケット構造の端部が顎部を押して、顎部をラッチ解除位置に移動させる。ディスプレイ装置が係合位置に達すると、顎部は、その付勢によりラッチ位置に戻って、ブラケット構造の端部に係合する。
【００２４】
上記別のコネクタは、ディスプレイ装置に配置されており、ディスプレイ装置が係合位置に動かされたときに上記別のコネクタが電気コネクタと嵌合するような位置に配置されている。ディスプレイ装置の不正な取り外しを防止するため、アセンブリは、顎部がブラケット構造の端部と係合しているときに、リリースタブの前に取付け板から突き出すブロッキングタブを含む。
【００２５】
アセンブリは、取り付け後に切り離しまたは取り外しを行うための解除工具を含む。解除工具は、屈曲部を含む部分または部材を有し、該部材は、顎部がブラケット構造の端部に係合しているときに、ブロッキングタブとリリースタブとの間に挿入可能である。これにより、該工具によってリリースタブを押すことができる。
【００２６】
別の態様において、顎部は、ブラケット構造の端部が押し当てられる傾斜面を有する。傾斜によって、ディスプレイ装置を係合位置に動かすときに、顎部のラッチ解除位置への動きが促される。
【００２７】
他の態様および効果は、本発明の原理を例として示す添付の図面を併用して、以下の説明から明らかになるであろう。
図面は必ずしも縮尺通りに描かれたものではなく、また、すべての特徴を示すものではなく、当業者が過度の実験を行うことなく本発明を製造し、使用することを可能にするための概略図であって、請求項の範囲を限定するものではない。よって、本発明による実施形態および効果は、当業者であれば、次の図面と共に以下の詳細な説明を参照することで理解できるであろう。
【図面の簡単な説明】
【００２８】
【図１】本発明による、乗物へのディスプレイ装置の取り付けのためのアセンブリの好ましい実施形態の部分分解等角図である。
【図２】図１のアセンブリの、アセンブリの反対側からの等角図である。
【図３】図１のアセンブリの、ディスプレイ装置が乗物に取り付けられた後の等角図を、アセンブリを一部切り欠いて示す図である。
【図４Ａ】図１のアセンブリの、ディスプレイ装置が乗物に取り付けられた後の側面図を、アセンブリを一部切り欠いて示す図である。
【図４Ｂ】図４Ａの一部分の拡大図である。
【図５】ディスプレイ装置が取り付けられた後の図１のアセンブリ、および乗物からディスプレイ装置を取り外すための工具である。
【図６】図５の拡大した一部分を示す図である。
【図７】図５のアセンブリと工具の等角図を、乗物と工具の一部を切り欠いて示す図である。
【図８】図７の拡大した一部分を示す図である。
【発明を実施するための形態】
【００２９】
図１は、全体が参照符号１０で示される、本発明に係るアセンブリの好ましい実施形態を示している。アセンブリ１０は、ディスプレイ装置１２を乗物に取り付けるためのものである。図１は、乗物のシート１４の背面にディスプレイ装置１２を取り付けるために用いられるアセンブリ１０を示している。しかしながら、アセンブリ１０は、乗物の壁または隔壁など、乗物の他の部分にディスプレイ装置１２を取り付けるために用いることもできる。
【００３０】
アセンブリ１０は、前面１８と、前面１８と反対側の裏面２０（図３および４を参照）と、を有する取付け板１６を含む。取付け板１６は、通常の方法により乗物に固定される。その固定方法は、取付け板１６を傾転または回転させることが可能であるタイプのものであることが好ましく、これにより、ディスプレイ装置１２をそれに取り付けたときに、ディスプレイ装置１２の角度をユーザにとって最適な角度に調整することができる。例えば、アダプタ板２２を、取付け板１６の裏面２０に固定することができる。アダプタ板２２は、ベース板２６に支持されたロッドまたは軸２４に回転可能に取り付けられる。そして、そのベース板２６は、乗物構造に固定される。あるいは、ディスプレイ装置１２の良好な視野角が幅広い場合には、取付け板１６を乗物の面に固定して取り付けることで、そこに固定された後の取付け板１６を独立に傾転することができないようにしてもよい。取付け板１６が乗物に固定されているときには、取付け板１６の前面１８は、ディスプレイ装置１２を受けるために外側を向いている。
【００３１】
取付け板１６は、対向する２つの端部２５および２７を有する。取付け板１６は、さらに、全体が参照符号２８で示される少なくとも１つのロック機構を有し、これは、取付け板１６の端部２５または２７のうち一方に隣接して取り付けられている。好ましくは、もう１つのロック機構２８が、取付け板１６の他方の端部２５または２７に隣接して配置される。
【００３２】
それぞれのロック機構２８は、取付け板１６の前面１８の上に延在する顎部（ｊａｗ）３０を有する。特に、顎部３０は、取付け板１６のそれぞれの端部２５または２７を越えて突き出している。そこからさらに、リップ３２が、取付け板１６の前面１８に平行に、取付け板１６の横軸に向かって突き出している。
【００３３】
各顎部３０は、取付け板１６によって支持されている。特に、各顎部３０は、取付け板１６の裏面２０に回転可能に取り付けられている。図４Ｂに示すように、各顎部３０は、ヒンジ３１によって裏面２０に取り付けられている。より具体的には、各顎部のヒンジ３１は、取付け板１６の裏面２０で支持された軸またはピン３４に回転可能に取り付けられている。軸またはピン３４は、取付け板１６の裏面２０に平行に延在している。
【００３４】
取付け板１６の各端部２５および２７に隣接した別のピン３８が、取付け板１６の裏面２０から直角に外側に延出している。それぞれの直角ピン３８の頭部４０は、図１で分かるように、取付け板１６の前面１８から見ることができる。各顎部３０は、歯部４２を有する。歯部４２は、取付け板１６の裏面２０に平行に顎部３０から延出しており、大文字Ｕの形状に対応する凹部を含んでいる。各直角ピン３８の先端は、それぞれのＵ字形凹部内に受容される。コイルバネ３６が、それぞれの直角ピン３８の周りに配置されて、取付け板１６の裏面２０と顎部３０の歯部４２との間で弾性的に圧縮されている。バネ３６の圧縮によって、各顎部３０を弾性的に付勢することで、閉位置またはラッチ位置に維持している。代替的実施形態では、代わりに捩りバネを用いてもよく、それを、顎部３０が取り付けられる軸またはピン３４に装着することができる。
【００３５】
ロック機構２８は、リリースタブ４４を有する。特に、それぞれの顎部３０が、そこから直角に、その歯部４２およびリップ３２と反対の方向に突き出すリリースタブ４４を有する。リリースタブ４４を後方に押すと、それぞれの顎部３０が、閉位置またはラッチ位置から離れるように、すなわち、開位置またはラッチ解除位置に向かって、回転する。リリースタブ４４は、バネ３６による付勢に逆らって顎部３０を回転させるための梃子を提供する。
【００３６】
取付け板１６は、ディスプレイ装置１２の裏側にある別のコネクタ４８（図２を参照）と嵌合するための開口部を有する電気コネクタ４６を備える。電気コネクタ４６は、反対側から引き出される配線５０を有し、この場合、配線５０は、乗物内の電源および／またはデータ源に接続される。電気コネクタ４６は、ディスプレイ装置１２が装着されていないときに、その開口部が露出するように、取付け板１６に取り付けられている。特に、コネクタ４６と４８は、該取付けアセンブリ１０によってディスプレイ装置１２が乗物に取り付けられるときに、コネクタ４６と４８の位置が揃って互いに嵌合するように、それぞれ配置されている。
【００３７】
取付けアセンブリ１０は、図２において全体が参照符号５２で示されるブラケット構造を含み、これは、ディスプレイ装置１２の裏面に配置されている。ブラケット構造は、上側端部５４と下側端部５６とを有する。ブラケット構造５２の一方の端部５４は、一方のロック機構２８と係合し、他方の端部５６は、他方のロック機構２８と係合する。特に、ディスプレイ装置１２は、ディスプレイ装置１２の面を取付け板１６の前面２０に押し当てることにより、取付け板１６に取り付けられる。より具体的には、ブラケット構造５２の上側端部５４が、上側ロック機構２８の顎部３０に押し当てられる。同時に、ブラケット構造５２の下側端部５６が、他方のロック機構２８の顎部３０に押し当てられる。
【００３８】
十分な押圧力が加えられると、顎部３０は開位置または閉位置に向かって動く。顎部３０の動きを促すため、各顎部３０は傾斜面５８を有している。特に、各顎部３０のリップ３２の外面５８は、取付け板１６の横軸に向かって斜めになっており、すなわち傾斜している。ブラケット５２の端部５４および５６を傾斜面５８に押し当てると、傾斜面５８に対して生じる力の垂直成分が存在し、これが顎部３０を開位置に向かって回転させる傾向にある。これによって、ブラケット構造５２の端部５４および５６が、顎部３０のリップ３２を越えて係合位置に滑り込むように促される。
【００３９】
端部５４または５６が顎部３０のリップ３２を越えて滑り込むと、顎部３０は、そのバネ３６の付勢力によって、閉位置またはラッチ位置に戻るように動くかまたは回転する。顎部３０のリップ３２は、ブラケット構造５２の端部５４または５６の裏側に入り込んで、これにより端部５４または５６と係合する。これによって、顎部３０が開位置または閉位置に動かされるかまたは回転されない限り、ディスプレイ装置１２が取り外しできないようにしている。
【００４０】
ブラケット構造５２は、図２では、２つの別々のブラケット６０および６２として示している。ブラケット６０および６２は、それぞれディスプレイ装置１２の裏面に留め具６４で固定されるものとして示している。代替的実施形態では、ブラケット構造５２は、ロック機構２８と係合するための端部５４および５６を提供する、より大きな単一のブラケットとすることができる。あるいは、ブラケット構造５２は、ディスプレイ装置１２の裏面に一体に形成してもよい。例えば、裏面の一部を取り除くことで、ブリッジ部の下に凹部を形成することができ、この場合、１つまたは複数のブリッジによって端部５４および５６を提供する。さらなる代替的実施形態では、ブラケット構造は、ディスプレイ装置１２の裏面に一体に形成されたリブを含むことができ、リブはディスプレイ装置の裏面から突き出して、１つ以上のロック機構２８と係合するための端部５４および５６を提供する。
【００４１】
前述のリリースタブ４４は、ディスプレイ装置１２の取り外しを容易とする。すなわち、ディスプレイ装置１２が取付けアセンブリ１０によって乗物に取り付けられた後に、リリースタブ４４を後方に押すことで、顎部３０を開位置または解除位置に動かすことができる。これによって、ディスプレイ装置１２を容易に取り外し可能とすることができる。
【００４２】
ディスプレイ装置１２が、不正者によって取り外されることを防ぐため、取付け板１６は、各リリースタブ４４に対応したブロッキングタブ６６を備えている。各ブロッキングタブ６６は、ディスプレイ装置１２が乗物に装着されているときに、取付け板１６の平面に平行に、それぞれのリリースタブ４４の前の位置に突き出している。顎部３０がそこを越えて延びる凹部を取付け板１６に形成することによって、ブロッキングタブ６６は、取付け板１６と一体に形成されている。図４Ｂで最も明確に見られるように、各ブロッキングタブ６６は蛇行屈曲部を有し、これにより、ブロッキングタブ６６の先端は、基端に対してオフセットしている。ただし、各ブロッキングタブ６６の先端と基端は、どちらも取付け板１６の平面に略平行に延びている。好ましい代替的実施形態では、ブロッキングタブ６６は、取付け板１６からではなくシート１４から、リリースタブ４４の前の位置に延出させることができる。ブロッキングタブ６６は、何者かがクレジットカードまたは定規のような薄い物体を、ディスプレイ装置１２の端部と乗物構造との間に滑り込ませて、リリースタブ４４を押すことを難しくしている。
【００４３】
このため、図５において全体を参照符号６８で示すような解除工具が提供される。解除工具６８は、該工具の本体を構成するロッド７０を有する。一対の離間した吸盤７２が互いに平行にロッド７０から延出している。ロッド７０の各端部付近からアーム７４が延出している。使用する際には、吸盤７２をディスプレイ装置１２の表示面に向けて、アーム７４が、ディスプレイ装置１２とシート１４の背面との間に挿入される。吸盤７２は、軟質または可撓性のエラストマ材料で形成されており、より硬い工具６８の表面との直接接触を防ぐ助けとなることで、表示面を損傷から保護している。これに関連して、工具６８の残りの部分は、ディスプレイ装置１２の表示面を損傷また擦傷し得る、より硬質の材料で、それでも好ましくはプラスチック材料で、形成される。
【００４４】
図６でより明確に見られるように、一対のアーム７４の各々が、その対の他方のアーム７４に対してある角度をなして延びている。各アーム７４付近で、捩りハンドル７６および７８が本体７０から後方に延びて、それぞれのアーム７４の最も長い長手方向次元と略一直線状に揃っている。工具本体７０の各端部において、１つの捩りハンドル７８が、ロッド７０の長さに沿ってアーム７４からオフセットしている。図７および８は、そのオフセットをより明確に示すための部分断面図を示している。
【００４５】
引き続き図７および８を参照して、各アーム７４は、一方の端部において、Ｌ字形部材８０で終端している。Ｌ字形の幾何学的形状によって、これらの部材７８のそれぞれは、ブロッキングタブ６６の周りに曲がり込んで、その背後のリリースタブ４４に接触することが可能となる。捩りハンドル７６および７８に力が加えられることで、ハンドルが互いに向かって回転すると、アーム７４が同様に互いに向かってを回転する。この状態で、アーム７４が、ディスプレイ装置１２を取り外すために、ディスプレイ装置１２とシート１４の背面との間に挿入される。その後、力を取り除くと、アーム７４が互いに離れるように広がって、各Ｌ字形部材８０の長いほうの脚部がブロッキングタブ６６の後ろを通る。従って、工具６８が前方に押されると、リリースタブ４４の各々に力が加えられ、これによって、顎部３０が、取付け板１６からディスプレイ装置１２を取り外すためのラッチ解除位置または開位置に動かされる。
【００４６】
代替的実施形態において、アーム７４と、工具本体７０と、さらには吸盤７２を除く他の部材を、金属または金属合金で形成することができ、また、アーム７４が回転可能に取り付けられた鋏のような構成とすることができる。他の代替的実施形態では、４つのアーム７４を有する工具６８ではなく、Ｌ字形部材または屈曲部材を備えた単一のアームを有する工具が提供され、これは、同時にすべてのリリースタブ４４にではなく、１つのリリースタブ４４に押し当てるためのものである。
【００４７】
再び図１に戻って、取付けアセンブリ１０は、好ましくは、同図において全体が参照符号８２で示される少なくとも１つのガイド構造を含む。ガイド構造８２は、少なくとも１つのアライメントピンまたはガイドピン８４を有し、好ましくは、取付け板１６から延出する一対のピン８４を有する。図２に示すように、対応する凹部またはガイド孔８６が、ディスプレイ装置１２の裏面に形成されている。ディスプレイ装置１２が取付け板１６に取り付けられるときに、ガイド構造８２は、アライメントを維持して、電気コネクタ４６および４８の損傷を防ぐために役立つ。
【００４８】
好ましい代替的実施形態では、ガイドピン８４をディスプレイ装置１２の裏面に形成し、凹部またはガイド孔を取付け板１６に形成することができる。他の好ましい代替的実施形態では、ピン８４の代わりに、嵌合するリブと溝を採用することができる。
【００４９】
取付けアセンブリ１０を形成する構成要素は、好ましくは、より高い耐久性および寿命のため、金属また金属合金で形成される。好ましくは、アルミニウムのような軽量かつ経済的な金属または金属合金が用いられる。取付けアセンブリ１０についての重量が最小限とされれば、より大きな燃料節約が乗物において実現される。好ましい代替的実施形態では、取付けアセンブリ１０において、少なくともその一部の構成要素に硬質プラスチック材料を使用することができる。しかしながら、プラスチックの場合、重量およびコストは、金属または金属合金を使用する場合に比較して低くなるであろうが、金属材料の場合のような高い耐久性および信頼性は期待できない。
【００５０】
図面では、対向するロック機構２８を有する実施形態を示している。対向するロック機構２８によって、ディスプレイ装置１２がシート１４の背面の凹部のような限られたスペースに配置される場合のその取り付けおよび取り外しが、より容易となる。代替的実施形態では、単一のロック機構２８を設けることができ、そして取付け板１６の他方の端部付近に対向するリップを、または場合によってフックを設けることができる。この実施形態では、ブラケット構造５２は、最初に、対向するリップまたはフックに係合され、次いで単一のロック機構２８の顎部３０に押し当てられる。単一のロック機構２８の実施形態の利点は、コストが削減されることである。
【００５１】
単一のロック機構２８を、反対側の端部付近の対向するリップと共に用いる場合、電気コネクタ４６は、リップから上向きに、取付け板１６の横軸に向けて取り付けることができる。同様に、ディスプレイ装置１２上の他方のコネクタ４８は、ディスプレイ装置１２の下側端部に移されることになる。この構成の利点は、最初にディスプレイ装置１２をリップ上で下向きに下降させることによってコネクタ４６と４８を嵌合させ、次にディスプレイ装置１２の上側端部をシート１４の背面に押し当てて、顎部３０に係合させることができるということである。従って、この実施形態では、顎部３０を係合させるときに、同時にコネクタ４６と４８を嵌合させる必要がなく、このため、ディスプレイ装置１２の取り付けが容易となる。
【００５２】
記載した実施形態によって、必要な労力をはるかに低減して、ディスプレイ装置１２を取り付けることができ、また、必要な労力をはるかに低減して、交換または修理のために取り外すこともできるという効果が得られる。さらに、これらの実施形態は、ブロッキングタブ６６に起因して解除工具が必要となることによって、不正な取り外しを防ぐ助けとなる。従って、これらの実施形態は、一般の人々が利用できる商業旅客機、バス、列車、フェリー、および公共乗物関に使用される他のタイプの乗物などに、ディスプレイ装置１２を取り付けるために用いることができる。アセンブリ１０は、さらに、キオスクなど、公衆アクセスのための建物において、ディスプレイ装置１２を取り付けるために用いることもできる。
【００５３】
記載した実施形態の他の効果は、電気コネクタ４６と４８の嵌合を「目で見ることなく」可能にしていることである。ガイドピン８４とガイド孔８６があることで、設置者は、ディスプレイ装置１２を設置するときに電気コネクタ４６と４８の適切なアライメントを視覚的に調べる必要がなくなる。ガイドピン８４と対応するガイド孔８６とによって、設置の際に電気コネクタ４６と４８の必要なアライメントが得られる。また、これによって、設置者が設置の際にハーネスから延びる電気コネクタを嵌合させるために、ディスプレイ装置１２の後ろに手が届くための追加スペースまたは空間を設ける必要がないという点で、空間効率も良くなる。従って、設置および／または保守に必要な空間と時間の両方に関して効率の向上が得られる。
【００５４】
上記のように好ましい代替的実施形態への変更を実施することが可能であり、従って、本発明の例および実施形態は、限定するものではなく、例示的なものとみなされるべきであり、また、本発明は、本明細書で提示した詳細に限定されるものではなく、添付の請求項および均等物の範囲内で変形することができる。
【符号の説明】
【００５５】
１０…アセンブリ、１２…ディスプレイ装置、１６…取付け板、２８…ロック機構、４６…電気コネクタ。
【図１】
2014136575.tif 000003
【図２】
2014136575.tif 000004
【図３】
2014136575.tif 000005
【図４Ａ】
2014136575.tif 000006
【図４Ｂ】
2014136575.tif 000007
【図５】
2014136575.tif 000008
【図６】
2014136575.tif 000009
【図７】
2014136575.tif 000010
【図８】
2014136575.tif 000011